(57)【要約】【課題】靴底に後縁がある靴のタイプに関係なく、靴底に対して迅速に固定および取り外しが可能なアイススパイクを提供する。【解決手段】アイススパイクが、補強具１１の固定後部１５に取り付けられ、靴底の後縁に直接係止されるように設計されたクロスバー２３を有する固定クランプ２０を含む。補強具の前部１４は、長手方向に関して靴の前部を留め付けるための停止手段１７を含む。受け面１２に対して靴を押圧するようにされた少なくとも１つの安全締め綱がストラップシステムに設けられる。靴のサイズに応じてストラップ１６を長手方向に調節されると、靴に合わせる際、後部固定クランプ２０と前部停止手段１７との間の距離を変更する必要がない。【選択図】図１
2004305742.tif 000002
【特許請求の範囲】
【請求項１】
靴底に適合するように設計された金属製補強部（１１）を有する登山用アイススパイクであって、前記補強部は、
周辺部に沿って複数の固定歯（１３）を有する受け面（１２）と、
靴の正面を固定するための手段を備えた前部（１４）と、
靴の踵を固定するために、靴底の後縁（２４）に直接係止されるように設計されたクロスバー（２３）を含む固定クランプ（２０）が設けられた後部（１５）と、
靴のサイズに応じて前記補強具（１１）の長さを調節するための手段（１６）と、
前記補強具（１１）を靴底に固定するための締め付け手段に関連付けられたストラップシステムとを含み、
前記補強具（１１）の前記前部（１４）は、長手方向に関して靴の正面を留め付けるための停止手段（１７）を含み、
前記ストラップシステムは、締め付けが行われるときに前記クロスバー（２３）を前記後縁（２４）に押圧する、前記後部（１５）の前記固定クランプ（２０）に固定された少なくとも１つの安全締め綱（２６）を含むことを特徴とする、アイススパイク。
【請求項２】
前記後部（１５）の前記固定クランプ（２０）は、Ｕ字状に折り曲げられた鋼線によって実現され、前記鋼線は、前記補強具（１１）の前記後部（１５）のうち前記受け面（１２）の平面下において交差方向に配設された一対の穴（２１）に回動式に取り付けられていることを特徴とする、請求項１に記載のアイススパイク。
【請求項３】
前記固定クランプ（２０）の前記クロスバー（２３）は、前記締め綱（２６）を通すための２つのループ（２５）を介して側方ブランチ（２２）に接合されていることを特徴とする、請求項１に記載のアイススパイク。
【請求項４】
前記固定クランプ（２０）の前記各側方ブランチ（２２）は、前記クロスバー（２３）に対して鈍角をなすように傾斜していることを特徴とする、請求項３に記載のアイススパイク。
【請求項５】
前記停止手段（１７）は、前記補強具（１１）の前部に延びる水平方向の軸の周りに回動可能に取り付けられたループを含むことを特徴とする、請求項１に記載のアイススパイク。
【請求項６】
前記停止手段（１７）は、前記受け面（１２）の前部で突出する２つの突出部（１８）を含むことを特徴とする、請求項１に記載のアイススパイク。
【請求項７】
前記突出部（１８）は、前記締め綱（２６）を通すためのリングホルダのような形状をなしていることを特徴とする、請求項６に記載のアイススパイク。
【発明の詳細な説明】
【技術分野】
【０００１】
本発明は、靴底に適合するように設計された金属製補強部を有する登山用アイススパイクに関し、前記補強部は、
周辺部に沿って複数の固定歯を有する受け面と、
靴の正面を固定するための手段を備えた前部と、
靴の踵を固定するために、靴底の後縁に直接係止されるように設計されたクロスバーを含む固定クランプが設けられた後部と、
靴のサイズに応じて補強具の長さを調節するための手段と、
補強具を靴底に固定するための締め付け手段に関連付けられたストラップシステムとを含む。
【背景技術】
【０００２】
特許文献１には、補強具の固定部が、靴底の踵の後縁を最大限に締め付けることができる横方向操作レバーを備えた回動クランプを含む登山用アイススパイクが記載されている。操作レバーは、補強具の穴に差し込まれるスピンドルを含む。クランプの端部の１つは、トグル継手を構成するようにレバーの延長部により支持された回転スリーブを通して、レバーの回動方向に応じて阻止または解放を行う。操作レバーを阻止位置に動かすと、クランプが前方方向に並進運動する。操作レバーを反対方向の解放状態へ動かすと、クランプが後部へと反対方向に並進運動して靴底の縁を解放する。
【０００３】
特許文献２および特許文献３は、補強具の後部が、クランプの本体に関節式に連結されたラッチの形態をなした踵部を備える回動固定クランプを含むアイススパイクに関する。取り付け用ストラップが締められると、靴底の後縁に踵部の突出部が押圧される。
【０００４】
特許文献４は、前部と後部との間の連結ケーブルと、靴底の後縁を押圧する固定レバーとを含むアイススパイクに関する。レバーを靴の後部の方向に回動すると、連結ケーブルに張力がかかる。
【０００５】
特許文献５には、中央部に、補強具の前部と後部との間に相対運動を生じさせる偏心輪を備える機械的リンクを含むアイススパイクが記載されている。靴は、前部ではループ（hoop）によって、後部では固定クランプによって留め付けられている。
【０００６】
特許文献６は、偏心輪を備えるテンソルによって、互いに関節式に連結および接合された２つの可動ブランチを含むアイススパイクの後部固定具に関する。
【０００７】
特許文献７は、前部と後部とが、中間締め付けループによって張力がかけられる２つのケーブルからなる取り付けシステムによって接合される迅速固定式アイススパイクに関する。
【０００８】
全ての公知のアイススパイクには、靴に合わせるように前部の固定手段と後部の固定手段との間の距離を変更する取り付けシステムが設けられている。
【０００９】
【特許文献１】仏国特許第２，８２８，７９４号明細書
【特許文献２】仏国特許第２，７２２，０６７号明細書
【特許文献３】スイス国特許第６５６，０５２号明細書
【特許文献４】独国特許第２，２６４，０４４号明細書
【特許文献５】国際公開第９８／３６６５４号パンフレット
【特許文献６】仏国特許第９１４，２６９号明細書
【特許文献７】仏国特許第２，５７５，６５９号明細書
【発明の開示】
【発明が解決しようとする課題】
【００１０】
本発明の目的は、靴底に後縁がある靴のタイプに関係なく、靴底に対して迅速に固定および取り外しが可能なアイススパイクを提供することである。
【課題を解決するための手段】
【００１１】
本発明による装置において、
補強具の前部は、長手方向に関して靴の正面を留め付けるための停止手段を含み、
ストラップシステムは、締め付けが行われるときにクロスバーを後縁に押圧する、後部の固定クランプに固定された少なくとも１つの安全締め綱を含むことを特徴とする。
【００１２】
靴のサイズに応じて補強具の長手方向の調節が行われると、靴を受け面に配置する際に、スパイクの後部固定クランプと前部停止手段との間の距離を変更する必要がない。
【００１３】
好適な実施の形態によれば、固定クランプは、Ｕ字状に折り曲げられた鋼線によって実現され、補強具の後部のうち受け面の平面下において一対の交差方向に整列された穴に回動式に取り付けられる。
【００１４】
単独で、または組み合わせて、次のような他の特徴を用いることができる。すなわち、
固定クランプのクロスバーが、締め綱を通すための２つのループを介して側方ブランチに接合されていたり、
固定クランプの各側方ブランチが、クロスバーに対して鈍角をなすように傾斜していたり、
停止手段が、補強具の前部に延びる水平方向の軸の周りに回動可能に取り付けられたループを含んでいたり、
停止手段が、受け面の前部で突出する２つの突出部を含んでいたりしてもよい。
【００１５】
非制限的な例として与えられ、添付の図面において示す本発明の特定の実施の形態についての以下の記載から、他の利点および特徴がより明確に明らかになるであろう。
【発明を実施するための形態】
【００１６】
図面において、登山用のアイススパイク１０が、登山靴の靴底を収容するように設計された水平方向の受け面１２を有する金属製補強具１１と、周辺部に沿って垂直方向に食い違い状に設けられた複数の固定歯１３とを含む。
【００１７】
補強具１１は、靴のサイズに応じて長さ調節が可能な接続ストリップ１６によって後部１５に機械的に接合された前部１４から構成されている。接続ストリップ１６は、前部１４と後部１５との間で相対的な並進運動を可能にする任意の他のアセンブリまたは調節手段によって取り替えることができる。
【００１８】
補強具１１の前部１４は、長手方向に関して靴の前部を留め付けるための停止手段１７を含む。停止手段１７は、例えば、受け面１２の前部で上向きに突出する、取り付けストラップ１９を通すためのリングホルダとして配設された突出部１８により形成することができる。また、突出部１８の代わりに、補強具１１の前部に延びる水平方向の軸の周りを旋回するように取り付けられたリング（hoop）を用いることも可能である。
【００１９】
補強具１１の後部１５は、靴の踵を固定するための固定クランプ２０を備えている。固定クランプ２０の側方ブランチ２２の端部は、後部１５のうち受け面１２の平面下において交差方向に整列された穴２１に関節式に連結されている。ブランチ２２間のクロスバー２３は、靴底の後縁２４に直接引っ掛けることにより、踵部や、踵を固定するためのさらなる止め具を利用する必要がない。クロスバー２３は、靴底の縁の高さで靴の踵の輪郭に実質的に沿う湾曲形状を有する。
【００２０】
固定クランプ２０は、各側方ブランチ２２がループ２５を介してクロスバー２３に接合されるようにＵ字状に折り曲げられた鋼線によって実現されている。側方ブランチ２２は、クロスバー２３に対して鈍角をなすように傾斜している。
【００２１】
ストラップシステムは、固定クランプ２０のループ２５に通されるとともに、クロスバー２３を靴底の縁２４に押圧するための締め付け手段と関連する少なくとも１つの安全締め綱２６を含む。安全締め綱２６の長さは、前部取り付けリング２７を通る程度に長いものであるか、または、靴の甲の高さにある靴の上側のみを取り囲む程度に短いものであり得る。締め綱２６のタイプの選択は、スパイク１０の前部で使用される固定手段に応じて行われる。
【００２２】
靴のサイズに応じて補強具１１の長さが調節されると、靴を受け面１２に配置する際に、スパイク１０の後部固定クランプ２０と前部停止手段１７との間の距離を変更する必要がなくなる
【図面の簡単な説明】
【００２３】
【図１】本発明によるアイススパイクの斜視図である。
【図２】登山靴の靴底に取り付けられた図１のスパイクを示す図である。
【図３】図１のスパイクの後部を示す斜視図である。
【図４】図２の背面図である。
【符号の説明】
【００２４】
１０  アイススパイク
１１  金属製補強具
１２  受け面
１３  固定歯
１４  前部
１５  後部
１６  接続ストリップ
１７  停止手段
１８  突出部
１９  取り付けストラップ
２０  固定クランプ
２１  穴
２２  側方ブランチ
２３  クロスバー
２４  後縁
２５  ループ
２６  安全締め綱
２７  取り付けリング
【図１】
2004305742.tif 000003
【図２】
2004305742.tif 000004
【図３】
2004305742.tif 000005
【図４】
2004305742.tif 000006